(57)【要約】  最適な無線リンクを確立するようユーザをガイドするためのシステム、方法及びプロトコル。本方法は、無線ネットワークにおいて第２のデバイス５００と通信するための第１のデバイス５５０を設け、本方法は、第１のデバイス５５０により、第２のデバイス５００における少なくとも１つのアンテナ５１０，５２０の位置情報を受信するステップと、第１のデバイス５５０により、第２のデバイス５００における少なくとも１つのアンテナ５１０，５２０の位置のオーディオ、ビジュアル又はオーディオビジュアル表現を供給するステップとを有する。
2015504273.tif 000002
【特許請求の範囲】
【請求項１】
第１のデバイスが無線ネットワークにおいて第２のデバイスと通信するための方法であって、
前記第１のデバイスにより、前記第２のデバイスにおける少なくとも１つのアンテナの位置情報を受信するステップと、
前記第１のデバイスにより、前記第２のデバイスにおける前記少なくとも１つのアンテナのオーディオ、ビジュアル及びオーディオビジュアル表現のうち少なくとも１つを供給するステップとを有する、方法。
【請求項２】
前記位置情報は、前記第２のデバイスにおける予め決められたスポットを二次元平面の起点座標として有する、前記第２のデバイスの予め決められた横断面と平行である前記二次元平面における座標により表される、請求項１に記載の方法。
【請求項３】
前記第１のデバイスにより、前記第２のデバイスにおける前記少なくとも１つのアンテナの形状情報を受信するステップを更に有する、請求項１に記載の方法。
【請求項４】
前記第１のデバイスにより、前記第２のデバイスにおける前記少なくとも１つのアンテナの向き情報を受信するステップを更に有する、請求項１に記載の方法。
【請求項５】
第１のデバイスがビジュアル又はオーディオビジュアル表現における起点情報及び前記少なくとも１つのアンテナの前記位置情報により前記第２のデバイスのグラフ図を覆うことが可能な前記グラフ図をユーザに供給するステップを更に有する、請求項２に記載の方法。
【請求項６】
前記第１のデバイスに対して前記第２のデバイスのグラフ図を供給するステップを更に有し、
前記第２のデバイスの前記グラフ図は、前記第２のデバイスにおける前記少なくとも１つのアンテナの位置又は形状の視覚的表現を含む、請求項１に記載の方法。
【請求項７】
前記位置情報に基づいて前記第２のデバイスに対する第１のデバイスの配置のためのオーディオ、ビジュアル又はオーディオビジュアル指示を供給するステップを更に有する、請求項１に記載の方法。
【請求項８】
前記第２のデバイスに対する前記第１のデバイスの配置のためのオーディオ、ビジュアル又はオーディオビジュアル指示は、前記第１のデバイスにおけるアンテナの位置に更に基づく、請求項７に記載の方法。
【請求項９】
前記オーディオ、ビジュアル又はオーディオビジュアル指示は、前記第１のデバイスと前記第２のデバイスとの間の現在の相対位置に基づくリアルタイム配置指示を有する、請求項７に記載の方法。
【請求項１０】
前記オーディオ、ビジュアル又はオーディオビジュアル指示は、前記第２のデバイスに対して配置されるべき前記第１のデバイスのための複数の位置を有し、
当該方法は、
前記複数の位置の各々に対する前記第１のデバイスと前記第２のデバイスとの間のリンクパラメータを測定するステップと、
前記リンクパラメータに基づいて前記複数の位置から最適な位置を選択するステップとを有する、請求項７に記載の方法。
【請求項１１】
前記位置情報は、３次元空間における座標により表される、請求項１に記載の方法。
【請求項１２】
少なくとも前記位置情報は前記第２のデバイスから受信される、請求項１に記載の方法。
【請求項１３】
少なくとも前記位置情報はネットワークデータベースから受信される、請求項１に記載の方法。
【請求項１４】
無線ネットワークにおいて他のデバイスと通信するためのデバイスであって、
前記他のデバイスにおける少なくとも１つのアンテナの位置情報を受信するためのアンテナに接続されたラジオと、
前記他のデバイスにおける前記少なくとも１つのアンテナの位置のオーディオ、ビジュアル又はオーディオビジュアル表現を供給するためのオーディオ、ビジュアル又はオーディオビジュアル出力部とを有する、デバイス。
【請求項１５】
前記ビジュアル又はオーディオビジュアル表現は、前記他のデバイスのグラフ図を有する、請求項１４に記載のデバイス。
【請求項１６】
前記オーディオ、ビジュアル又はオーディオビジュアル出力部は、前記位置情報に基づいて前記他のデバイスに対する当該デバイスの配置のためのオーディオ、ビジュアル又はオーディオビジュアル指示を供給する、請求項１４に記載のデバイス。
【請求項１７】
前記ラジオは、前記他のデバイスにおける前記少なくとも１つのアンテナの形状情報を受信するように更に構成され、
前記ビジュアル又はオーディオビジュアル表現は、前記他のデバイスにおける前記少なくとも１つのアンテナの形状のグラフ図を更に有する、請求項１５に記載のデバイス。
【請求項１８】
当該デバイスの向きを決定するためのコンパスを更に有し、
前記ラジオは、前記他のデバイスにおける前記少なくとも１つのアンテナの向き情報を受信するように更に構成され、
前記オーディオ、ビジュアル又はオーディオビジュアル出力部は、前記向き情報に基づいて前記他のデバイスに対して当該デバイスを位置合わせするためのオーディオ、ビジュアル又はオーディオビジュアル指示を供給するように更に構成される、請求項１４に記載のデバイス。
【請求項１９】
前記オーディオ、ビジュアル又はオーディオビジュアル指示を増やすために前記他のデバイスのビデオストリームを供給するためのカメラを更に有する、請求項１４に記載のデバイス。
【請求項２０】
第２のデバイスと通信する第１のデバイスを有し、
前記第２のデバイスは、第３のデバイスにおけるアンテナの位置情報を受信し、
前記第２のデバイスは、前記第３のデバイスにおける前記アンテナの位置情報を前記第１のデバイスに供給し、
前記第１のデバイスは、前記第３のデバイスにおける前記アンテナの位置のオーディオ、ビジュアル又はオーディオビジュアル表現を供給する、無線通信システム。
【発明の詳細な説明】
【技術分野】
【０００１】
この出願は、２０１１年１２月１日に出願された米国仮出願第６１／５６５，６４８号に対する優先度を主張する。
【０００２】
本発明は、無線接続に関し、より詳しくは、短距離ピアツーピア接続のための最適な無線リンクを確立することについてガイダンスを提供するためのシステム及び方法に関する。
【背景技術】
【０００３】
ほとんどのＷｉＦｉアクセスポイントは、住宅又は１若しくはそれ以上のオフィス空間全体に渡って無線ＬＡＮ接続を提供するために用いられる。ＷｉＦｉアクセスポイントから受信デバイスまでの信号強度に影響する主なパラメータは、アンテナ位置、住宅又はオフィス空間の間取り、どこに壁が配置されているか、どの材料が用いられているか、及び、周辺における他のアクセスポイントの配置を含む、受信デバイスに対するＷｉＦｉアクセスポイントの相対的なポジショニングである。しかしながら、受信デバイスとＷｉＦｉアクセスポイントとの間の距離が十分に大きいときには、物理的なＷｉＦｉアクセスポイントにおけるアンテナの正確な位置又は場所はあまり重要ではない。
【０００４】
更に、多くのラップトップ、携帯電話及び他のポータブルデバイスは、周辺におけるＷｉＦｉアクセスポイントの信号強度を示し得る。これは、典型的には、０〜１００％の信号強度の値及び／又は棒グラフを用いて示される。時々、これは、受信信号強度インジケータ（ＲＳＳＩ）、パケット損失の量等のような関連値によって増大される。信号強度を向上させるために、物理的なＷｉＦｉアクセスポイントにおけるアンテナの位置又は場所の認識を有していないユーザは、典型的には、信号強度又は他の関連値を見ながらポータブルデバイスをあちこち移動させるだろう。
【発明の概要】
【発明が解決しようとする課題】
【０００５】
しかしながら、ピアツーピア接続、とりわけ、ドッキングステーションを有するラップトップの無線ドッキング、又は、携帯電話からプリンタデバイス、ストレージデバイス若しくはＴＶへのＷｉＦｉダイレクトアクセスのような短距離高性能アプリケーションのために、最適な無線リンクを確立するために、接続対象のデバイスと物理的なＷｉＦｉアクセスポイントデバイスとの双方においてアンテナの場所を知ることが重要である。無線リンクが最適かどうかは、スループット、エラーレート等に基づいて決定され得る。これらのピアツーピア接続に含まれるデバイスは、小型のポータブルデバイスからオフィスプリンタのような大きな静止デバイスに及び得る。審美的理由のために、これらのデバイスにおけるアンテナは、多くの場合隠されており、それ故、ユーザ対して不可視である。それ故、これらのアンテナの場所を示し、最適なリンクを実現するためにそれぞれのデバイスのポジショニング又は配置に関するガイダンスを提供する必要がある。
【０００６】
ＮＦＣ（Near Field Communication；近距離無線通信）を用いた極めて短い範囲のコネクティビティに関して、１つの解決策は、最適な接続を確立するために互い対してデバイスをどこに配置するべきかをユーザに示すために、ＮＦＣタグ／アンテナの場所にあるデバイスに（例えばＮＦＣロゴを有する）ステッカーを配置することである。ＷｉＦｉ接続は、典型的にはより長い範囲のものであり、幾つかのアプリケーションにおいては複数のアンテナ（例えば、複数入力及び複数（ＭＩＭＯ）接続）を含むので、ピアデバイスの最適な配置は、ステッカーを単純に用いることにより示すのが困難であり得る。また、あらゆる所にステッカーを配置することは、あまり的確な解決策ではない。これらのステッカーは、審美的に楽しくないかもしれないし、制限された静的な情報しか提供しない。
【課題を解決するための手段】
【０００７】
有利には、ここに開示された一実施形態は、モバイルデバイスと他のデバイスとの間の最適な無線リンクを確立するために、モバイルデバイスの配置又はポジショニングのためのオーディオ、ビジュアル又はオーディオビジュアルの表示を提供するために他のデバイスに関するアンテナ位置情報を利用してモバイルデバイスを示す。
【０００８】
ここに開示された他の実施形態は、第１のデバイスが無線ネットワークにおける第２のデバイスと通信するための方法であって、前記第１のデバイスにより、前記第２のデバイスにおけるアンテナの位置情報を受信するステップと、前記第１のデバイスにより、前記第２のデバイスにおける前記アンテナの位置のオーディオ、ビジュアル及びオーディオビジュアルの表現のうち少なくとも１つを与えるステップとを含む。
【０００９】
ここに開示された他の実施形態において、無線ネットワークにおける他のデバイスと通信するためのデバイスであって、前記他のデバイスにおけるアンテナの位置情報を受信するためのラジオと、前記他のデバイスにおける前記アンテナの位置のオーディオ、ビジュアル及びオーディオビジュアルの表現のうち少なくとも１つを与えるための出力部とを含む。
【００１０】
ここに開示された他の実施形態において、システムは、無線ネットワークにおける第２のデバイスと通信する第１のデバイスを含み、前記第２のデバイスは、第３のデバイスにおけるアンテナの位置情報を受信し、前記第２のデバイスは、前記第３のデバイスにおける前記アンテナの位置情報を前記第１のデバイスに供給し、前記第１のデバイスは、前記第３のデバイスにおける前記アンテナの位置のオーディオ、ビジュアル及びオーディオビジュアルの表現のうち少なくとも１つを与える。
【００１１】
一般に、本発明の種々の態様は、種々の実施形態の範囲内で考えられる任意の手法において組み合わせられ、結合され得る。本発明とみなされる主題は、とりわけ、明細書の結びにある請求項において指し示され、明確に請求される。前述の及び他の特徴及び利点は、添付図面とともに理解される以下の詳細な説明から明らかになるだろう。
【図面の簡単な説明】
【００１２】
【図１】本発明の一実施形態によるデバイスにおけるアンテナの中心の座標の表現を示す。
【図２】本発明の一実施形態によるデバイスにおけるアンテナの形状の表現を示す。
【図３】本発明の一実施形態によるデバイスにおけるアンテナの形状及び／又は座標の表現を示す。
【図４】本発明の一実施形態による複数のアンテナの位置及び形状の表現を示す。
【図５】本発明の一実施形態による最適位置における配置のためにガイドされるポータブルデバイスを示す。
【図６】本発明の一実施形態によるホストとドッキングするためにガイドされるポータブルデバイスを示す。
【発明を実施するための形態】
【００１３】
ここで、特定の実施形態は、短距離ピアツーピア接続のための最適な無線リンクを確立するためのガイダンスを提供するシステム及び方法について述べる。他の実施形態は、第１のデバイスが、第２のデバイスのアンテナの、場所、幾何学及び他の特性（例えば、極性）のオーディオ、ビジュアル及びオーディオビジュアルの表現のうち少なくとも１つ、及び／又は、最適な無線リンクを確立するための第２のデバイスに対する第１のデバイスの配置又はポジショニングの仕方を与えることを可能にするために、第２のデバイスから情報を受信する第１のデバイスについて述べる。
【００１４】
一実施形態において、第１のデバイスは、第２のデバイスにおけるアンテナのアンテナ形状情報及び／又は位置を利用する。例えば、アンテナの位置及び／又はアンテナ形状情報は、第２のデバイスの予め決められた横断面と平行な二次元平面における二次元座標であってもよい。
【００１５】
開示された実施形態は、アンテナの形状及び／又は位置の表現として座標の使用を示しているが、左、右、上部、底面、正面、後部、矩形、円形等のような他の表現又は表示も利用される。
【００１６】
他の実施形態において、第２のデバイスのグラフィカルな説明及び充分な情報は、ポジショニングに関するガイダンスを提供するために、アンテナの形状及び／又は位置情報、並びに、オーディオ、ビジュアル又はオーディオビジュアルの表現についての起源情報を有するこのグラフィカルな説明を重ねるために、第１のデバイスにより利用される。グラフィカルな説明は、例えば、ビットマップ画像であってもよい。充分な情報は、例えば、座標系の起点を示す第２のデバイスのグラフィカルな説明におけるピクセルであってもよい。
【００１７】
図１は、予め決められた横断面と平行な二次元平面における二次元座標に基づくデバイス１００のアンテナ位置情報を示している。アンテナ位置情報の二次元座標を決定するために、予め決められたスポット１２０は、二次元平面の起点座標（０，０）になるように指定される。二次元平面は、デバイスの予め決められた横断面と平行である。この例では、二次元平面は、デバイス１００の正面と平行であり、起点座標（０，０）は、デバイス１００の中心である。アンテナ位置の二次元の座標は、起点座標（０，０）からのアンテナ１１０の中心を与える。
【００１８】
図１に示された実施形態によれば、他のデバイス（図１において図示省略）は、デバイス１００のアンテナ１１０位置情報の二次元座標を受信する。二次元座標を利用することにより、他のデバイスは、デバイス１００のアンテナ１１０の中心位置を決定する。他のデバイスは、最適な無線リンクを確立するために互いに対して２つのデバイスを配置又は位置決めするようユーザをガイドするために、このアンテナ位置情報を利用する。例えば、他のデバイスは、２つのデバイス間の最適な無線リンクを確立するために、デバイス１００に対して他のデバイスを位置決めするよう、オーディオ、ビジュアル又はオーディオビジュアルキューによりユーザをガイドしてもよい。
【００１９】
代替実施形態では、デバイス１００は、デバイス１００が、他のデバイス（図１において図示省略）対する自己のポジショニングに関するガイダンスを与えるために二次元座標を利用する。デバイス１００は、最適な無線リンクを確立するために、互いに対して２つのデバイスを配置又は位置決めするよう、ユーザに対してガイダンスを与えるために、このアンテナ位置座標を利用する。例えば、デバイス１００は、２つのデバイス間の最適な無線リンクを確立するために、他のデバイスに対してデバイス１００を位置決めするよう、オーディオ、ビジュアル又はオーディオビジュアルキューによりユーザをガイドしてもよい。
【００２０】
図２は、デバイス２００のアンテナ位置情報がアンテナ２１０の形状情報を与える他の実施形態を示している。アンテナ位置情報は、前と同じように、予め決められた横断面と平行な二次元平面における二次元座標に基づいている。アンテナ形状情報の二次元座標を決定するために、予め決められたスポット２２０は、二次元平面の起点座標（０，０）になるように指定される。二次元平面は、デバイスの予め決められた横断面と平行である。この例では、二次元平面は、デバイス２００の正面と平行であり、起点座標（０，０）は、デバイス２００の中心である。一例において、二次元座標は、アンテナの形状を規定し、起点座標（０，０）に対して位置決めする。
【００２１】
図２に示された実施形態によれば、他のデバイス（図２において図示省略）は、最適な無線リンクを確立するために、互いに対してデバイス２００及び他のデバイス（図２において図示省略）を配置又は位置決めするよう、ユーザをガイドするために、二次元座標を利用する。例えば、他のデバイスは、２つのデバイス間の最適な無線リンクを確立するために、デバイス２００に対して他のデバイスを位置決めするよう、オーディオ、ビジュアル又はオーディオビジュアルキューによりユーザをガイドしてもよい。
【００２２】
代替実施形態では、デバイス２００は、デバイス２００が、他のデバイス（図２において図示省略）に対する自己の位置決めに関するガイダンスを与えるために、二次元座標を利用する。デバイス２００は、最適な無線リンクを確立するために互いに対して２つのデバイスを配置又は位置決めするよう、例えばユーザに対してガイダンスを与えるために、このアンテナ位置座標を利用する。例えば、デバイス２００は、２つのデバイス間の最適な無線リンクを確立するために、他のデバイスに対してデバイス２００を位置決めするよう、オーディオ、ビジュアル又はオーディオビジュアルキューにより、ユーザをガイドしてもよい。
【００２３】
上記の図１及び図２において、デバイスの実際の形状は、グラフィカルな説明（これらの例としてビットマップ画像）を用いて示される。例えば、図１及び図２にて図示したように、デバイスの実際の形状は、"他のデバイス"のスクリーン上に、又は、デバイス１００若しくはデバイス２００のスクリーン上に表され得る。しかしながら、充分な情報がデバイスのポジショニングについてユーザをガイドするために与えられる場合、ディスプレイスクリーン上に実際の形状を示すことは必要でない。
【００２４】
更なる実施形態において、デバイスの幅及び高さのような充分な情報は、デバイスの前面に対するアンテナの位置／形状情報を示す、デバイスの抽象的なグラフィカル表現を可能にする。例えば、図３は、デバイスの正面を表す矩形３００及びその矩形に対するアンテナ３１０の配置を示している。図３に示された実施形態において、デバイスは、グラフィカル情報の部分としてアンテナの位置／形状の視覚的表現を含む、ビットマップ画像のようなグラフィカルな説明を与える。
【００２５】
故に、図３に示されたディスプレイに類似するディスプレイは、デバイス１００、デバイス２００又は"他のデバイス"のスクリーン上に表されるだろう。例えば、デバイス２００の表現は、図２に関して述べられたように、デバイス２００又は"他のデバイス"上にアンテナ２１０の形状情報と一緒に表示される。視覚的表示は、２つのデバイス間の最適な無線リンクを確立するために、例えば互いに対してデバイスを位置決めするようユーザをガイドするために、オーディオキューと組み合わせられてもよい。
【００２６】
特定の実施形態において、アンテナ位置情報は、第１のデバイスと第２のデバイスとの間の無線通信リンクを介して第２のデバイスにより第１のデバイスに供給される。他の実施形態において、アンテナ位置情報は、インターネットのようなネットワーク接続を介して第２のデバイスのアンテナ位置情報を格納するネットワークデータベースにより、第１のデバイスに供給される。アンテナの形状又は向きのような追加のアンテナ位置情報は、同一又は類似の手段により第１のデバイスに供給されてもよい。上記方法の任意の組み合わせは、第２のデバイス対するポジショニングに関するガイダンスを提供するために、アンテナ位置情報、デバイスサイズ情報及び第１のデバイスに役立つ他の情報を供給するために実装されてもよい。
【００２７】
更なる実施形態において、供給されるアンテナ位置情報は、第２のデバイスにおけるアンテナに対して第１のデバイスを配置するための最良の位置を含む。図４に示すように、第２のデバイス４００は、複数のアンテナ４１０，４２０を有し得る。アンテナ４１０，４２０のどちらが最適な無線リンクを提供するかに依存して、最良のアンテナが選択され、対応する位置情報が、第２のデバイス４００におけるアンテナに対して第１のデバイス（図４において図示省略）を配置するための最良の位置として供給される。代わりとして、最良の位置は、特定のＷｉＦｉの特徴（例えば、ＭＩＭＯ）が用いられるか否かに基づいてアンテナの予想される動作の補間を介して決定され得る。
【００２８】
更なる実施形態において、供給されるアンテナ位置情報は、第１のデバイスが、第２のデバイスの底面、又は、第２のデバイスが配置される表面、及び、第２のデバイスの予め規定された横断面の前にマッチする平面上に配置されるという前提が与えられる、デバイスを配置するための最良の位置を含む。図５に示すように、第２のデバイス５００は、２つのアンテナ５１０，５２０と、第１のデバイス５５０が配置され得る、第２のデバイスの前の空間とを有するように構成される。第２のデバイスの前の空間は、底面の平面であってもよい。例えば、デバイス５００は、テーブル上部に載置されていてもよい。ここで、テーブル上部は、図５に示される底面の平面である。
【００２９】
第１のデバイス５５０は、第１のデバイス５５０と第２のデバイス５００との間の無線通信リンクを介して第２のデバイス５００から、若しくは、アンテナ位置情報を格納するネットワークデータベースから、又は、その任意の組み合わせから、最良の位置情報を含むアンテナ位置情報を受信する。第１のデバイス５５０のディスプレイ５５２及び／又はスピーカ５５８は、第２のデバイスに対して第１のデバイスを配置するための最良の位置をユーザに示す。
【００３０】
更なる実施形態において、第１のデバイス５５０は、第１のデバイスが、第１のデバイス５５０の正面と第２のデバイス５００の予め規定された横断面との間の角度を計算するのを可能にするために、向き情報を備える。例えば、向き情報は、内蔵型コンパスを用いた、地球の磁北に対する角度であってもよい。第１のデバイス５５０は、ユーザに対するより良好なガイダンスを提供するために、自己の内蔵型コンパス、無線三角測量、ＧＰＳ等のうち１又はそれ以上を用いる。更に、多くのモバイルデバイスがジャイロスコープも備えているので、他のガイダンスの改良は、ジャイロスコープ情報を用いることにより供給され得る。（ＧＰＳ位置、ＧＳＭ位置又はＷｉＦｉ位置情報のような）粗い位置情報は、オーディオ、ビジュアル又はオーディオビジュアルの提示、及び、ユーザに与えられたガイダンスに追加され得ることに留意されたい。これは、他のデバイスに接続するための切り替え指示を含み得る。
【００３１】
更なる実施形態において、第１のデバイス５５０は、例えばリンクパフォーマンスに関するリアルタイム情報を備え、これは、第１のデバイス５５０が、第１のデバイス５５０と第２のデバイス５００との間の最適なリンクを得るための第１のデバイス５５０の配置、ポジショニング又は再ポジショニングに関するガイダンスのためのオーディオ及び／又は視覚的指示を供給するために利用する。例えば、指示は、ユーザに第１のデバイス５５０の現在位置に基づいて僅かに右にデバイスを移動するよう尋ねてもよい。
【００３２】
更なる実施形態において、テストメッセージのバーストは、デバイス５５０とデバイス５００との間で交わされる。テストメッセージは、第１のデバイス５５０及び第２のデバイス５００の一方又は両方がリンク（例えばエラーレート）の或るパラメータを測定することを可能にする。測定は、ユーザに対する更なるガイダンスを供給するために利用される。他の実施形態においても、ユーザは、第２のデバイス５００に対する幾つかの特定の位置に第１のデバイス５５０を配置するよう尋ねられる。そして、一方又は両方のデバイス５５０，５００は、最適なポジショニングに関するユーザガイダンスを更に洗練するためにそれらの位置で測定を実行する。
【００３３】
第２のデバイス５００のアンテナ情報に加えて、最適なリンクのための第２のデバイス５００に対する第１のデバイス５５０の配置は、第１のデバイス５５０のアンテナ情報に依存してもよい。更なる実施形態において、第１のデバイス５５０及び第２のデバイス５００の両アンテナ位置情報は、両デバイスのための最適な配置にマッチングさせるために用いられる。
【００３４】
他の実施形態において、第２のデバイス５００は、第１のデバイス５５０又はデータベースからアンテナ位置情報を受信する。第２のデバイス５００は、第１のデバイス５５０を配置する又はポジショニングするためのガイダンスを供給する。更に、両デバイス５００，５５０は、互いに対してデバイス５００，５５０を配置又はポジショニングするためのガイダンスを共同で供給してもよい。
【００３５】
更なる実施形態において、図５は、ｘ，ｙ及びｚ軸を示す。第１のデバイス５５０は、選ばれた起点座標並びに選ばれたｘ，ｙ及びｚ軸に対する配置のための最良の位置及び／又はアンテナの位置の三次元座標を備える。他の改良は、上述された方法のいずれかにより与えられてもよい。
【００３６】
更なる実施形態において、アンテナの位置に対する予想される又は実際のフィールド強度のオーディオ、ビジュアル又はオーディオビジュアル表現が供給される。例えば、表現は、アンテナからの距離の関数のセットとしてのＲＳＳＩ値、又は、距離／方向を用いた極性図を含む。最高伝送電力、すぐ近くに障害物、反射物又は干渉源がないことを想定するフィールド強度表現が供給されてもよい。追加の実施形態において、フィールド強度表現は、実際の伝送電力、検出された反射、障害物又は干渉源を説明する。
【００３７】
他の実施形態において、第１のデバイス５５０は、カメラ５５４から来るビデオストリーム内で第２のデバイス５００を検出するためにカメラ５５４を用いる。上記方法のいずれかから第１のデバイスを配置するための最良の位置及び／又はフィールド強度及び／又はアンテナの位置／形状情報は、ユーザに対して配置ガイダンスを供給するために、ビデオストリームの上で覆われる。即ち、オーディオ、ビジュアル又はオーディオビジュアル指示は、拡張現実感に基づく。
【００３８】
他の実施形態において、第１のデバイス５５０及び／又は第２のデバイス５００は、適切なスポットにユーザを更にガイドするための磁石を有する。
【００３９】
図５に示すように、第１のデバイス５５０は、第２のデバイス５００からアンテナ配置情報を受信するためにアンテナ５５６に接続されるラジオを備える点に留意すべきである。第２のデバイス５５０は、（例えばインターネット又は他のネットワークを介して）第１のデバイス５００にとって利用可能であるデータベースに格納されたアンテナ位置情報を有してもよい。更なる実施形態において、アンテナ位置情報は、いずれのデバイス５００又は５５０のいずれかによりインターネットから得られる。
【００４０】
アンテナ配置情報が一のデバイスから他のデバイスに供給される実施形態において、斯様な情報は、任意の便利な時間に供給されてもよい。
【００４１】
多くの異なる実装又はプロトコルは、デバイス間でアンテナ情報を交換するために用いられ得る。一般性を失うことなく、第１のデバイスが第２のデバイスにおけるアンテナの位置情報を受信するための以下の非限定的な実装代替手段が与えられる。
【００４２】
１）事前関連デバイス発見情報交換
この実装代替手段において、アンテナ位置情報は、ＷｉＦｉ  Ｄｉｒｅｃｔ仕様（ＷｉＦｉピアツーピア（Ｐ２Ｐ）技術仕様（Wi-Fi Peer-to-Peer (P2P) Technical Specification, Version 1.1, 2010）により規定される事前関連デバイス発見段階の間において第２のデバイスにより第１のデバイスに送られる。第２のデバイスは、ＷｉＦｉ  Ｄｉｒｅｃｔデバイスのあらゆるビーコン、プローブ要求及びプローブ応答フレームにおいて送られる、ＷｉＦｉ  Ｄｉｒｅｃｔ仕様の第４．１．１節において規定されたような、Ｐ２Ｐ情報要素のＰ２Ｐ属性として、又は、ＷｉＦｉディスプレイ、ＷｉＦｉシリアルバス又はＷｉＦｉ  Ｄｏｃｋｉｎｇ固有の情報要素のような、Ｐ２Ｐ情報要素に加えてあらゆるビーコン、プローブ要求及びプローブ応答フレームにおいて送られるベンダー固有の情報要素内のサブ要素として、アンテナ位置情報を追加するだろう。
【００４３】
２）事前関連サービス発見情報交換
この実装代替手段において、アンテナ位置情報は、例えばＷｉＦｉ  Ｄｉｒｅｃｔにより規定される事前関連サービス発見段階の間において第２のデバイスにより第１のデバイスに送られる。第２のデバイスは、例えばＷｉＦｉ  Ｄｉｒｅｃｔ仕様の第４．２．１０．２節に従ってフォーマット化されるサービス発見応答フレーム内でアンテナ位置情報を追加するだろう。これは、例えばＷｉＦｉ  Ｄｉｒｅｃｔ仕様の第４．２．１０．１節に従ってフォーマット化されるサービス発見クエリフレームを用いて第１のデバイスにより送られたサービス発見に対する応答として送られる。サービス要求ＴＬＶ内のクエリデータフィールドのための予め決められたクエリ値は、第２のデバイスがアンテナ位置又は他の関連アンテナ情報を返すための要求を認識するために用いられる。これは、他のデバイスに関する一般的な情報を要求するクエリ値又はアンテナ位置情報を具体的に尋ねる固有のクエリであり得る。
【００４４】
事前関連サービス発見のためのメカニズムは、データが複数のフレームに分解されることを可能にする。これは、データのより大きなブロックが交換されることを可能にする。それ故、この実装は、事前関連デバイス発見情報交換を用いて典型的に考えられるアンテナに関するより詳細な情報（例えば、アンテナ位置、形状、向き）を含み得る。これは、小さいビットマップをグラフ図と交換するために用いられてもよい。
【００４５】
情報は、必ずしも静的なままである必要はない。連続したサービス発見クエリ及び応答は、異なる値を含んでもよく、それ故、例えば、第１のデバイスの現在の距離／位置／信号強度に基づくデバイスの最良の位置に関するガイダンス情報を第１のデバイスに供給するために第２のデバイスにより用いられてもよい。
【００４６】
３）関連付け後の情報交換
この実装代替手段において、アンテナ位置情報は、関連付け後の情報交換の間において第２のデバイスにより第１のデバイスに送られる。この実装における関連付け後は、第１及び第２のデバイスが例えば同じＷＬＡＮアクセスポイント又はＷｉＦｉ  Ｄｉｒｅｃｔグループオーナーに関連付けられることを規定する。
【００４７】
位置情報は、ＨＴＴＰ、ＲＴＰ、ＳＯＡＰを含む様々な形の通信プロトコル、コマンドの予め同意された、標準化された又はカスタムのセット、又は、ＴＣＰ／ＩＰ又は未処理ソケット通信の直接的な上の予め同意された、標準化された又はカスタムの情報交換プロトコルを用いて、第２のデバイスにより第１のデバイスに供給される。
【００４８】
事前関連サービス発見情報交換に類似して、関連付け後の情報交換は、交換されるべきデータのタイプ及びサイズについて制限されない。また、動的な情報交換が実装されてもよい。それ故、極めて詳細なアンテナ情報が交換され得る。
【００４９】
上述されたアプローチは、ドッキングのために利用可能な複数のドッキングホストがある場合にドッキングすべき最良のホストのドッキング対象に対する表示を場合により含む、第２又は第３のドッキングホストのアンテナ位置情報を供給するために拡張されてもよいことに留意されたい。一実施形態において、斯様なシステムは、無線ネットワークにおける第２のデバイスと通信する第１のデバイスを含み、第２のデバイスは、第３のデバイスにおけるアンテナの位置情報を受信し、第２のデバイスは、第３のデバイスにおけるアンテナの位置情報を第１のデバイスに供給し、第１のデバイスは、第３のデバイスにおけるアンテナの位置のオーディオ、ビジュアル又はオーディオビジュアル表現を供給する。
【００５０】
図６は、無線ドッキングシステムがＷＤＨ−ＷＤＨ接続（Wireless Docking Host to Wireless Docking Host connection）を介して互いに通信し得る無線ドッキング対象（ＷＤ１）６０１と２つの無線ドッキングホスト（ＷＤＨ１）６０２及び（ＷＤＨ２）６０３とから成る一実施形態を示している。（ＷＤＨ１）６０２及び（ＷＤＨ２）６０３は、双方とも、同じ無線ドッキング環境（例えば、ＷＤＥ２）をさらしてもよい。ホスト（ＷＤＨ１）６０２及び６０３（ＷＤＨ２）は、これらのドッキング環境に関する状態情報を交換してもよい。状態情報は、アンテナ位置及び形状情報、信号強度情報、周波数情報、チャネル占有情報、コネクティビティオプション及び許容量等を含んでもよい。
【００５１】
（ＷＤ１）６０１が（ＷＤＨ１）６０２を介してＷＤＥ２を発見した場合、（ＷＤ１）６０１が（ＷＤＨ１）６０２を介してＷＤＥ２とドッキングした場合に最良のパフォーマンスを実際に与えなくてもよい。（ＷＤ１）６０１が代わりに（ＷＤＨ２）６０３を介してＷＤＥ２とドッキングすることが好ましいかもしれない。例えば、その理由は、ディスプレイのような最も厳しい／高性能周辺機器の幾つかが（ＷＤＨ２）６０３に接続されるためであるか、（ＷＤＨ２）６０３が（ＷＤ１）６０１により近いためであるか、又は、（ＷＤＨ２）６０３がより良好なアンテナを有するためであるか、等であるかもしれない。（ＷＤＨ１）６０２は、（ＷＤＨ１）６０２の代わりに（ＷＤＨ２）６０３とドッキングすることが好ましい（ＷＤ１）６０１に、前述したような、オーディオ、ビジュアル又はオーディオビジュアル指示を介してフィードバック及びアンテナ位置情報を供給し得る。加えて、（ＷＤＨ２）６０３がスリープモードにある場合には、（ＷＤＨ１）６０２は、（ＷＤＨ２）６０３を起こしてもよい。
【００５２】
非限定的な例として、ここに或る実施形態は、ポータブルオーディオデバイス、携帯電話、ラップトップ、タブレット、プリンタ、カメラ、ＷｉＦｉ  Ｄｉｒｅｃｔを可能とするデバイス、及び、他のアドホックネットワーキングを可能とするデバイス、無線ドッキングステーション、ＷｉＦｉディスプレイデバイス、ＮＦＣを可能とするデバイス、並びに、ＷｉＦｉアクセスポイントに適用可能である。使用される無線技術は、これらに限定されるものではないが、以下のとおりである：Wi-Fi，Bluetooth，NFC，Zigbee，WiGig 60GHz，WirelessHD。
【００５３】
前述の詳細な説明は、本発明が取り得る多くの形式のうちの幾つかを記載している。前述の詳細な説明は、本発明が取り得る選択された形式の図として理解され、本発明の規定に対する限定として理解されるべきではないことが意図される。請求項のみが本発明の範囲を規定することを意図した全ての等価物を含む。
【００５４】
最も好ましくは、本発明の原理は、ハードウェア、ファームウェア及びソフトウェアの任意の組み合わせとして実装される。更に、ソフトウェアは、或るデバイス及び／若しくはデバイスの組み合わせの部分からなるコンピュータ読み取り可能な格納媒体又はプログラムストレージユニット上で明らかに具現化されたアプリケーションプログラムとして好ましくは実装される。アプリケーションプログラムは、任意の適切なアーキテクチャを有するマシンにアップロードされ、このマシンによって実行されてもよい。好ましくは、マシンは、１又はそれ以上の中央処理ユニット（ＣＰＵ）、メモリ及び入出力インタフェースのようなハードウェアを有するコンピュータプラットフォーム上に実装される。コンピュータプラットフォームは、オペレーティングシステム及びマイクロ命令コードを含んでもよい。ここで述べられた種々のプロセス及び機能は、マイクロ命令コードの部分若しくはアプリケーションプログラムの部分又はその任意の組み合わせであってもよく、これは、斯様なコンピュータ又はプロセッサが明示的に示されているかどうかに関わらずＣＰＵにより実行され得る。加えて、種々の他の周辺装置は、追加のデータストレージユニット及び印刷ユニットのようなコンピュータプラットフォームに接続されてもよい。
【図１】
2015504273.tif 000003
【図２】
2015504273.tif 000004
【図３】
2015504273.tif 000005
【図４】
2015504273.tif 000006
【図５】
2015504273.tif 000007
【図６】
2015504273.tif 000008
【国際調査報告】
2015504273.tif 000009
2015504273.tif 000010
2015504273.tif 000011